(57)【要約】【課題】  別体のシールドケースを用いることなく、電磁輻射ノイズを低減することができる光ピックアップ装置を提供する。【解決手段】  光ピックアップ装置は光源１１ａと、光源１１ａおよび光記録媒体２２からの反射光を検出する光学部品を搭載する光学基台であるハウジング１０と、高周波重畳回路基板１８とを備えている。ハウジング１０は、光源１１ａおよび高周波重畳回路基板１８を収容する収容部を囲み、ハウジング本体と一体に構成された壁部２５を有し、光源および高周波重畳回路基板１８はハウジング１０の内部の収容部に配置されて、壁部２５により光源および高周波重畳回路基板１８から外部に放出される電磁輻射をシールドする。【選択図】        図６
2006196112.tif 000002
【特許請求の範囲】
【請求項１】
光記録媒体に照射するレーザ光を発する半導体レーザからなる光源と、前記光源および光記録媒体からの反射光を検出する光学部品を搭載する光学基台であるハウジングと、高周波重畳回路とを備えた光ピックアップ装置において、
前記ハウジングは、前記光源および前記高周波重畳回路を収容する収容部を囲み、前記光源および高周波重畳回路から放出される電磁輻射ノイズのシールドを構成する、ハウジング本体と一体に構成された壁部を有し、
前記光源および前記高周波重畳回路は前記ハウジング内部の収容部に配置されている、光ピックアップ装置。
【請求項２】
前記壁部は前記光源から出射したレーザ光と直交する面を除く全ての面を囲む、請求項１に記載の光ピックアップ装置。
【請求項３】
前記ハウジングは金属製である、請求項１または２に記載の光ピックアップ装置。
【請求項４】
前記光源はホログラムと一体に構成されたホログラムユニットに内蔵され、前記ホログラムユニットは前記ハウジングに直接接触している、請求項１から３のいずれかに記載の光ピックアップ装置。
【請求項５】
前記光源はグランド端子を有し、該グランド端子は前記ハウジングに直接接続されている、請求項１から４のいずれかに記載の光ピックアップ装置。
【請求項６】
前記ハウジングは合成樹脂により構成されている、請求項１または２に記載の光ピックアップ装置。
【請求項７】
前記ハウジングは金属膜を有し、
前記光源はホログラムと一体に構成されたホログラムユニットに内蔵され、前記ホログラムユニットは前記金属膜に直接接触している、請求項６に記載の光ピックアップ装置。
【発明の詳細な説明】
【技術分野】
【０００１】
この発明は、半導体レーザからなる光源や、光源および光学部品を搭載したハウジングを備え、光記録媒体等に記録された情報の再生および媒体への情報の記録を行なう光ピックアップ装置に関し、特に光源である半導体レーザを高周波で変調してノイズの発生を抑制する高周波重畳回路を備えた光ピックアップ装置に関する。
【背景技術】
【０００２】
従来から光ピックアップ装置における光源の一つとして半導体レーザが広く用いられている。特に、記録再生を必要とする光ピックアップ装置においては、高出力を必要とするため単一モードレーザが使用されている。再生信号は、このレーザからの出射光を光記録媒体に照射し、光記録媒体で反射した光ビームを光検出器により受光することにより得られる。
【０００３】
図１１は、従来の光ピックアップ装置を示す分解図である。図１１に示すように、従来の光ピックアップ装置は、光源および光検出器を構成するホログラムユニット１１２と、高周波重畳回路基板１０２と、それらを搭載する光学基台１１３とを含む。
【０００４】
光学基台１１３は、ホログラムユニット１１２の他、光記録媒体にレーザ光を出射し反射光を検出するための複数の光学部品を搭載している。ホログラムユニット１１２は板バネ１１１および固定ビス１１０により光学基台１１３に固定される。ホログラムユニット１１２には多層基板１０９が接続され、多層基板１０９を介して外部回路に接続される。多層基板１０９は、高周波重畳回路基板１０２、可撓性基板およびリジッド基板により構成されている。
【０００５】
この光ピックアップ装置において、レーザ光が光源から光検出器に至るまでに発生するノイズを低減させるため、以下のような構成が採用されている。この光ピックアップ装置では、光源となるホログラムユニット１１２から出射された光束は立ち上げミラー１１４を介して対物レンズに入射し光記録媒体上に集光される。光記録媒体で反射した光束は再び対物レンズを通ってホログラムユニット１１２に入射する。光束はホログラムユニット１１２のホログラムにより偏光され、ホログラムユニット１１２の内部の光検出器に集光され、光記録媒体に記録された情報信号が得られる。
【０００６】
ホログラムユニット１１２に設けられる半導体レーザはシングルモードのため、戻り光により発振が不安定となる。そのため高周波重畳回路を用いて縦マルチモード化しノイズの抑制を行なう。しかし、高周波重畳回路は数百ＭＨｚで半導体レーザを変調させているため、この駆動電流が電磁波となり、回路基板や配線から電磁輻射ノイズとして放出される。
【０００７】
このような電磁輻射ノイズ対策として一般的にノイズ源をシールドする手法がとられている。ホログラムユニット１１２と高周波重畳回路基板１０２はフレキシブルな可撓性基板とリジット基板を貼り合わせた多層基板１０９に半田付けされる。多層基板１０９には、通常、全面をグランド層とした層を１層以上設けている。多層基板１０９が半田付けされたホログラムユニット１１２は、板バネ１１１にて固定され、ビス１１０でねじ止めする。その後、金属等の電磁波シールド材料で構成されたシールドケース１０８で、多層基板１０９を外側から覆い、シールドケース１０８を圧着もしくはフックで光学基台１１３に固定する。
【０００８】
このように構成することによりホログラムユニット１１２は、多層基板１０９に設けられたグランド層により放熱される。また、高周波重畳回路基板１０２からの電磁輻射ノイズは、シールドケース１０８によってシールドされる。
【０００９】
上記のような光ピックアップ装置を開示したものとして、特許文献１（特開平１１−２５４８９号公報）がある。この光ピックアップ装置でも、高周波重畳回路基板および光源をシールドするために、別部材のシールドケースにより、高周波重畳回路基板および光源を覆っている。
【特許文献１】特開平１１−２５４８９号公報
【発明の開示】
【発明が解決しようとする課題】
【００１０】
上記従来の光ピックアップ装置においては、高周波重畳回路基板の電磁輻射を遮断するために、別部材の金属製シールドケース１０８を光学基台１１３に取り付けており、光ピックアップ装置の部品点数および組み立て工程が増加し、製造コストが高くなるという問題があった。
【００１１】
この発明は、上記課題を解決するためになされたものであり、別体のシールドケースを用いることなく、電磁輻射ノイズを低減することができる光ピックアップ装置を提供することを目的とする。
【課題を解決するための手段】
【００１２】
この発明に基づいた光ピックアップ装置に従えば、光記録媒体に照射するレーザ光を発する半導体レーザからなる光源と、上記光源および光記録媒体からの反射光を検出する光学部品を搭載する光学基台であるハウジングと、高周波重畳回路とを備え、上記ハウジングは、上記光源および上記高周波重畳回路を収容する収容部を囲み、上記光源および高周波重畳回路から放出される電磁輻射ノイズのシールドを構成する、ハウジング本体と一体に構成された壁部を有し、上記光源および上記高周波重畳回路は上記ハウジング内部の収容部に配置されている。
【００１３】
この構成によると、ハウジング本体と一体に構成された壁部により電磁輻射ノイズを低減するシールドを構成することができるので、従来のように、別部材のシールドなどを取り付ける必要がない。その結果、部品点数および組み立て工数を削減することができる。またハウジングが一体型であるため、外部からの衝撃に強い構造となる。
【００１４】
上記壁部は上記光源から出射したレーザ光と直交する面を除く全ての面を囲むように構成してもよい。また、ハウジングを金属製にしてもよい。
【００１５】
また、上記光源をホログラムと一体に構成されたホログラムユニットに内蔵し、上記ホログラムユニットを上記ハウジングに直接接触させてもよい。また上記光源のグランド端子を上記ハウジングに直接接続してもよい。これにより、光源で発生した熱をハウジングに効果的に放熱することができる。その結果、光源の温度を所定の範囲内に保つことができる。
【００１６】
一方、上記ハウジングを合成樹脂により構成してもよい。この場合には、安価かつ軽量にハウジングを構成することができる。また、合成樹脂で構成することで、ハウジングの形状や厚みを自由に設定することができる。この場合に、上記ハウジングに金属膜を設け、上記光源を内蔵するホログラムユニットと上記金属膜とを直接接触させてもよい。この場合には、金属膜により電磁輻射を遮断する効果が増大する。また、ホログラムユニットと金属膜を直接接触させることにより、ホログラムユニットからの放熱効果が向上する。さらに金属膜を設けることにより、ハウジングの強度が向上する。
【発明の効果】
【００１７】
本発明に係る光ピックアップ装置によると、別体のシールドケースを用いることなく、外部に放射される電磁輻射ノイズを低減することができる。
【発明を実施するための最良の形態】
【００１８】
以下、この発明に基づいた各実施の形態における光ピックアップ装置の構造について、図を参照しながら説明する。なお、各実施の形態において、同一または相当する構成については同一の参照番号を付し、重複する説明は繰り返さない。
【００１９】
（実施の形態１）
以下、本発明に係る実施の形態１について、図１から図６を参照して説明する。なお、図１は、本実施の形態におけるホログラムユニットを示す平面図であり、図２は、フレキシブル基板を示す平面図であり、図３は、ホログラムユニットとフレキシブル基板とを一体化する工程を示す正面図であり、図４は、一体化したホログラムユニットをハウジングの内部に挿入する工程を示す断面図であり、図５は、光ピックアップ装置を示す、図４のV−V矢視断面図であり、図６は、光ピックアップ装置を示す、図５のVI−VI矢視断面図である。
【００２０】
本実施の形態の光ピックアップ装置は、光記録媒体２２に照射するレーザ光を発する光源と、光源および光記録媒体２２からの反射光を検出する光学部品を搭載する光学基台であるハウジング１０と、高周波重畳回路基板１８とを備えている。ハウジング１０は、光源および高周波重畳回路基板１８を収容する収容部２４を囲み、ハウジング本体と一体に構成された壁部２５を有し、光源および高周波重畳回路基板１８はハウジング１０の内部の収容部２４に配置されて、壁部２５は光源および高周波重畳回路基板１８から外部に放出される電磁輻射ノイズのシールドとなる。
【００２１】
光源は、ホログラムユニット１１の内部に設けられ、半導体レーザで構成される。ホログラムユニット１１は、ホログラムが形成されたガラスまたは樹脂で構成されるホロガラス部１５、ホロガラス部１５を固定する金属キャップ部１４、ホログラムユニット１１をハウジングに固定するための金属ステム部１３、端子１２などにより構成されている。ホログラムユニット１１の内部には、光源の他、受光素子なども内蔵されている。端子１２は、ホログラムユニット１１の脚部を構成する樹脂の上に配設されており、光源や受光素子に電源を供給すると共に、これらからの信号を外部に伝達する。
【００２２】
前記ホログラムユニット１１の端子１２が設けられた脚部は、図２に示すフレキシブル基板１６の開口孔１６ａに挿入される。フレキシブル基板１６の一端には高周波重畳回路基板１８が貼設されている。ホログラムユニット１１の端子１２とフレキシブル基板１６とは、図３に示すようにはんだ１９により接続されている。本実施の形態では、高周波重畳回路はモジュール化して搭載しているが、フレキシブル基板１６の上に個別部品によりディスクリート構成しても良い。
【００２３】
また、このフレキシブル基板１６の構造においては、ホログラムユニット１１の端子１２が接続される表面と、高周波重畳回路基板１８が接続される表面が同一面となる。これにより、光源を構成する半導体レーザの配線パターンと高周波重畳回路基板１８の配線パターンとを同一のフレキシブル基板１６の面に形成することとなり、フレキシブル基板１６の片面にのみ配線パターンを形成すればよいので、フレキシブル基板１６の低コスト化を実現できる。
【００２４】
フレキシブル基板１６に設けられた配線パターンにより、ホログラムユニット１１と高周波重畳回路基板１８とが接続される。フレキシブル基板１６の他端には、図示しない端子が設けられており、フレキシブル基板１６の配線パターンを介してホログラムユニット１１および高周波重畳回路基板１８に接続している。これによりホログラムユニット１１の受光素子により得られた信号を、フレキシブル基板１６を介して外部に伝送することができる。
【００２５】
図３に示すように、ホログラムユニット１１はフレキシブル基板１６の開口孔１６ａに挿入された後、はんだ１９により固定される。さらに、フレキシブル基板１６の端部は、高周波重畳回路基板１８がホログラムユニット１１の図３における下方に位置するように折り曲げられる。さらに、反対側も図３に示すように上方に折り曲げられる。これにより、ホログラムユニット１１とフレキシブル基板１６とは、ハウジング１０に挿入するのに適した図４に示すような扁平な形状となる。
【００２６】
光学基台を構成するハウジング１０は、例えばアルミダイキャスト、マグネシウムダイキャストや亜鉛ダイキャストなど、金属材料を鋳造して構成されている。その外形は板状である。
【００２７】
ハウジング１０の一方の表面には矩形の開口１０ａが設けられている。ハウジング１０の内部には、開口１０ａに連続して、ホログラムユニット１１およびフレキシブル基板１６が挿入される空洞状の収容部２４が設けられている。収容部２４は、ホログラムユニット１１の光源から出射するレーザ光と直交する面を除く全ての面が金属製の壁部２５に囲まれている。この壁部２５は、光源および高周波重畳回路基板１８から放出される電磁輻射のシールドとなる。本実施の形態では、光源からレーザ光が出射する方向と、ホログラムユニット１１およびフレキシブル基板１６が挿入される方向とが一致している。
【００２８】
図５に示すように、ハウジング１０の収容部２４に挿入されたホログラムユニット１１は、その内部のベース部２６に固定される。ベース部２６はホログラムユニット１１のステム部１３と一致する形状を有しており、ステム部１３が挿入されることでホログラムユニット１１が位置決めされる。そして、ステンレス鋼、リン青銅等の弾性部材で構成された板バネ２９でステム部１３を押圧することによりホログラムユニット１１はハウジング１０に固定される。この板バネをさらにビスで固定するようにしてもよい。また、ベース部２６に係合突起などを設け、ホログラムユニット１１をベース部２６に嵌め込むことにより固定するようにしてもよい。
【００２９】
このようにホログラムユニット１１を取り付けることにより、ハウジング１０とホログラムユニット１１とは直接接触することとなる。ホログラムユニット１１のステム部１３とハウジング１０のベース部２６とが接触するだけでなく、ホログラムユニット１１の側面と壁部２５の一部とが直接接触する。これにより、ホログラムユニット１１から金属製のハウジング１０への放熱がさらに促進される。
【００３０】
さらに、ホログラムユニット１１の端子１２のうち、グランド端子となる端子を、ハウジング１０に直接接続するようにしてもよい。ハウジング１０は、この場合には、ハウジング１０から端子１２のグランド端子に向かって突出する電極を設け、この電極によりハウジング１０本体とグランド端子とを通電するようにしてもよい。
【００３１】
また、ホログラムユニット１１のステム部１３をグランド端子とし、これをハウジング１０に直接接触させるようにしてもよい。これらの場合には、他の基板や配線などを介することなく、ホログラムユニット１１のグランド端子またはステム部１３を通じて、光源を構成する半導体レーザのグランド線を直接ハウジング１０に接続することができるので、電磁輻射ノイズをシールドする効果が向上する。
【００３２】
本実施の形態の光ピックアップ装置によれば、図６に示すように、ハウジング１０の内部には、ホログラムユニット１１の光源１１ａから出射したレーザ光を対物レンズに入射させるための立ち上げミラー２０が配設されている。この立ち上げミラー２０で反射されたレーザ光は、対物レンズ２１により光記録媒体２２上に集光される。光記録媒体２２で反射されたレーザ光は同じ経路を辿って再びホログラムユニット１１２に戻り、ホログラムユニット１１内の受光素子で誤差信号や情報信号が検出される。
【００３３】
本実施の形態の光ピックアップ装置によると、ハウジング１０そのものにより、ホログラムユニット１１および高周波重畳回路基板１８を覆うことができるので、従来のような金属等のシールド材料で構成された別部材のシールドケースを使用することなく、電磁輻射ノイズを抑制し、ホログラムユニット１１で発生した熱を放熱させることができる。従来のような、別部材のシールドケースを使用する必要が無いので、部品点数および組み立て作業工数を削減することができる。
【００３４】
また、シールドケースを介さずに直接ハウジングによりシールドすることができるため、より効果的に電磁輻射ノイズを減少させることができる。また、ホログラムユニット１１を直接ハウジング１０に固定するので、放熱効果が向上し、熱的に安定したホログラムユニット１１の動作が得られる。
【００３５】
さらに、フレキシブル基板１６の同一平面上にホログラムユニット１１および高周波重畳回路基板１８を実装できるため、フレキシブル基板１６を片面化することができる。また、従来のようなホログラム取り付け部や高周波重畳回路実装部が多層基板で構成されているような可撓性基板より低コスト化を図ることができる。
【００３６】
なお、本実施の形態では、ホログラムユニット１１および高周波重畳回路基板１８の、ホログラムユニット１１を挿入する方向を除く全ての方向を囲むように、壁部２５を形成している。壁部２５は、このように構成した場合に、最も電磁輻射をシールドする効果が高くなる。ただし、必要とされる条件などによっては、必ずしもこのように構成する必要は無く、たとえば、壁部２５の一部に開口が形成されているような場合でもある程度の効果が得られる。
【００３７】
本実施の形態では、ハウジング１０をアルミダイキャストなどの、金属を鋳造したものにより構成したが、これをエポキシ樹脂や液晶ポリマーなどの合成樹脂により構成してもよい。この場合には、金属で構成する場合に比べ、安価かつ軽量に構成することができる。また、合成樹脂で構成することにより、ハウジング１０の形状や厚みを自由に設定することができる。
【００３８】
ハウジング１０を合成樹脂により構成する場合には、光源および高周波重畳回路基板１８を囲む壁部２５の内面または外面に金属膜を設けることで、電磁輻射ノイズをシールドする効果が高くなる。樹脂製のハウジング１０に金属膜を設ける方法については、次の実施の形態において詳述する。
【００３９】
（実施の形態２）
次に実施の形態２について、図７から図１０を参照して説明する。なお、図７は本実施の形態のハウジングを示す、図９のVII−VII矢視断面図、図８はホログラムユニットおよびフレキシブル基板を収容した状態のハウジングを示す、図９のVII−VII矢視断面図、図９は、光ピックアップ装置を示す、図８のIX−IX矢視断面図であり、図１０はハウジングにホログラムユニットおよびフレキシブル基板を挿入する工程を示す分解斜視図である。
【００４０】
本実施の形態において、ハウジング１０は、エポキシ樹脂や液晶ポリマーなどの合成樹脂で構成されている。このハウジング１０は、上記実施の形態と同様に、壁部２５で囲まれた収容部２４を有し、この収容部２４に、ホログラムユニット１１およびフレキシブル基板１６が収容される。
【００４１】
本実施の形態においては、収容部２４の奥側端部にソケット孔２７が形成されている。このソケット孔２７には、ホログラムユニット１１の脚部が挿入される。ソケット孔２７は、ホログラムユニット１１の脚部およびフレキシブル基板１６の一端をちょうど挿入することができる大きさを有している。脚部には端子１２が形成されているが、ソケット孔２７の内周面には脚部が挿入されることにより端子１２に接続する、図７に示すような電極２８ａが形成されている。
【００４２】
図７では、電極２８ａは、ホログラムユニット１１のグランド端子にのみ接続するように構成している。このように構成することで、金属膜２８全体がグランド線を構成することとなる。
【００４３】
電極２８ａを複数設け、それぞれに接続するように配線パターンを形成するようにしてもよい。この場合には、図１０に示すように、フレキシブル基板１６に開口孔１６ａを設け、ホログラムユニット１１の端子１２が露出するようにしておく。これによりホログラムユニット１１をソケット孔２７に挿入するだけで、全ての端子１２が複数の電極２８ａにそれぞれ接続される。これにより作業時間を短縮することができる。
【００４４】
ハウジング１０にソケット孔２７を形成し、電極は設けないようにしてもよい。この場合には、ソケット孔２７にホログラムユニット１１の脚部を挿入することで、ホログラムユニット１１をハウジング１０に取り付けることができる。
【００４５】
金属膜２８は、銀ペーストや銅箔などの導電性材料をハウジング１０の内面に熱圧着により接合したメタルコーティングで構成する。金属膜２８を銅箔で構成した場合、接合面となる銅の表面には微細な凹凸が形成されているため、溶融したハウジング１０を構成する樹脂と密着させることができる。
【００４６】
そしてホログラムユニット１１のグランド端子に接続する電極２８ａのみを残してエッチングを施す。その方法について述べる。まず、銅箔の上にフォトレジストを塗布する。フォトレジストには例えばネガ型を使用する。ネガ型のフォトレジストに光を照射すると、分子が重合し樹脂の重合度が進む。所望のパターンを得るためにアートワーク（或いはマスク）と呼ばれるフィルムを用いて適宜、照射光を遮断する。尚、照射する光としては紫外線で３６５ｎｍ〜４２０ｎｍ程度の波長を選択する。
【００４７】
フォトレジストの露光によって重合した樹脂は、光を当てていない樹脂に比べ溶媒（現像液）に対して溶けにくい性質をもっているため、光を当ててない部分は溶けて無くなり、光を当てた部分だけが残る。現像液としては有機溶剤を用いてもよいし、水溶液を用いてもよい。
【００４８】
一般的にはアルカリ性の水溶液（たとえば炭酸ナトリウム溶液）が使用される。次にエッチング液により、レジストが保護膜として働き、銅が露出している部分だけが溶けて無くなり、残った銅箔により回路が形成される。エッチング液は塩化銅（II）や塩化鉄（II）溶液を使用する。最後に有機溶剤かアルカリ溶液（たとえば水酸化ナトリウム）である剥離液を用いて不要なフォトレジストを剥離する。以上の方法により、ホログラムユニット１１のグランド端子のみ選択的に接触させることができる。
【００４９】
この場合、グランド端子以外の端子１２は、信号検出用端子としてフレキシブル基板１６とはんだで接続される。フレキシブル基板１６とはんだで接続した状態で、ソケット孔２７に挿入することで、ホログラムユニット１１とハウジング１０との固定支持としての機能をも兼ねる事ができる。
【００５０】
この実施の形態のハウジング１０は樹脂製のため、ハウジング１０が金属で構成された光ピックアップと比べ、安価で軽量な光学ピックアップを実現することができる。
【００５１】
さらに壁部２５のソケット孔２７の周辺部にも併せて金属膜２８を形成する。ハウジング１０の端部には、金属製のシャフト３４と係合する突出片３３が設けられているがこの突出片３３の内側面にまで連続するように金属膜２８が形成されている。これにより、シャフト３４を介して本体側へアースすることができ、電磁輻射シールドとしての効果が向上する。
【００５２】
尚、シャフト３４に接触する突出片３３の形状は、主軸孔３５のように、貫通孔として形成してもよい。また、ソケット孔２７の周辺を金属膜２８で金属コーティングすることで、ハウジング１０の強度も向上する。さらに、従来のような金属等のシールド材料で構成されたシールドケースを使用することなく、ハウジング１０でホログラムユニット１１を覆うことができるため、部品点数を削減させることができ、組み立てにおける作業性も向上する。
【００５３】
また、シールドケースを介さずに、グランド端子を直接ハウジング１０に形成された金属膜２８に接続することができるため、さらなる電磁輻射ノイズの削減を図ることができる。また、ホログラムユニット１１を直接ハウジング１０に固定することにより、放熱効果が向上し、熱的に動作が安定したホログラムユニット１１が得られる。
【００５４】
本実施の形態においては、ハウジング１０を合成樹脂により構成したが、実施の形態１と同様に、ハウジング１０を、アルミダイキャスト、マグネシウムダイキャストや亜鉛ダイキャストなど、金属材料を鋳造して構成してもよい。
【００５５】
この場合には、ソケット孔２７のグランド端子以外の端子１２に対応する位置には、エポキシ等に代表される絶縁性の液体材料や、ポリイミド等に代表される絶縁性のシートを貼付することにより、グランド端子のみをハウジング１０に接続する。
【００５６】
なお、今回開示した上記実施の形態はすべての点で例示であって、限定的な解釈の根拠となるものではない。したがって、本発明の技術的範囲は、上記した実施の形態のみによって解釈されるのではなく、特許請求の範囲の記載に基づいて画定される。また、特許請求の範囲と均等の意味および範囲内でのすべての変更が含まれる。
【図面の簡単な説明】
【００５７】
【図１】この発明に基づいた実施の形態１におけるホログラムユニットを示す平面図である。
【図２】この発明に基づいた実施の形態１におけるフレキシブル基板を示す平面図である。
【図３】この発明に基づいた実施の形態１におけるホログラムユニットとフレキシブル基板とを一体化する工程を示す正面図である。
【図４】この発明に基づいた実施の形態１における一体化したホログラムユニットをハウジングの内部に挿入する工程を示す断面図である。
【図５】この発明に基づいた実施の形態１における光ピックアップ装置を示す、図４のV−V矢視断面図である。
【図６】この発明に基づいた実施の形態１における光ピックアップ装置を示す、図５のVI−VI矢視断面図である。
【図７】この発明に基づいた実施の形態２におけるハウジングを示す、図９のVII−VII矢視断面図である。
【図８】この発明に基づいた実施の形態２におけるホログラムユニットおよびフレキシブル基板を収容した状態のハウジングを示す、図９のVII−VII矢視断面図である。
【図９】この発明に基づいた実施の形態２における光ピックアップ装置を示す、図８のIX−IX矢視断面図である。
【図１０】この発明に基づいた実施の形態２におけるハウジングにホログラムユニットおよびフレキシブル基板を挿入する工程を示す分解斜視図である。
【図１１】従来の光ピックアップ装置を示す分解図である。
【符号の説明】
【００５８】
１０  ハウジング、１０ａ  開口、１１  ホログラムユニット、１１ａ  光源、１２  端子、１６  フレキシブル基板、１６ａ  開口孔、１８  高周波重畳回路基板、２２  光記録媒体、２４  収容部、２５  壁部、２６  ベース部、２７  ソケット孔、２８  金属膜。
【図１】
2006196112.tif 000003
【図２】
2006196112.tif 000004
【図３】
2006196112.tif 000005
【図４】
2006196112.tif 000006
【図５】
2006196112.tif 000007
【図６】
2006196112.tif 000008
【図７】
2006196112.tif 000009
【図８】
2006196112.tif 000010
【図９】
2006196112.tif 000011
【図１０】
2006196112.tif 000012
【図１１】
2006196112.tif 000013